(57)【特許請求の範囲】
【請求項１】
両側縁に互いに対向する向きに湾曲した係合部を有するアウターレールに対し、両側縁に互いに離れる向きに湾曲した係合部を有するインナーレールを、互いの係合部間で転動する多数のボールを保持したボールリテナーを介して摺動自在に係合させて上下に重なる向きに水平に配設したスライドレール組立体を備え、前記アウターレールを天井側に固定する一方、前記インナーレールを引戸側に取り付けて該引戸をスライド自在に吊持した構成のスライドレール式上吊り引戸の吊設構造において、
前記引戸には、その上框部の長さ方向両端側に設ける取付溝に、溝形に曲げ成形して両側縁に互いに対向する向きに屈曲した係合片を有する一対のレール受けを嵌め入れて固着する一方、
前記スライドレール組立体は、前記ボールリテナーを、２本の長手ボール保持部材を平行に連結して形成すると共に、前記インナーレールを、２本の短手なスライダに分割して形成し、
両スライダはそれぞれ、チャネル部の両側縁に互いに離れる向きに湾曲した前記係合部を設けたレール本体と、チャネル部の両側縁に互いに離れる向きに屈曲したガイド部を設けたガイドレールとを、互いの底面側を重ね合わせて固着してなり、前記レール本体の係合部を前記ボールリテナーのボール保持部材に嵌合させる一方、前記ガイドレールのガイド部を前記レール受けの係合片に係合させて、引戸を前記スライドレール組立体を介してスライド自在に吊持してなることを特徴とする、スライドレール式上吊り引戸の吊設構造。
【発明の詳細な説明】
【０００１】
【発明の属する技術分野】
本発明は、アウターレールとインナーレールとを多数のボールを介して係合させたスライドレール組立体を備え、アウターレールを天井側に固定する一方、インナーレールを引戸側に取り付け、引戸を、スライドレール組立体を介してスライド自在に吊持するスライドレール式上吊り引戸の吊設構造に関する。
【０００２】
【従来の技術】
各種の引戸の中でも、上吊り引戸は、引戸開口部の下側に、敷居やレールなど、引戸を案内するガイド部材を設置する必要がないために、床面に段差が発生せず、昨今のバリアフリーの要請に十分応え得る引戸として、需要が高まっている。
【０００３】
そこで、従来、この種の上吊り引戸を吊設する場合の例として、たとえば図７に示すようなスライドレール式の構造にしたものがある。
【０００４】
この従来の上吊り引戸の吊設構造では、引戸１の上框面１ａ上に一対の吊り金具２を立設する一方、支持枠体３の天井側にレール台４を立設し、レール台４にチャネル材５を取り付け、チャネル材５内にスライドレール組立体６を嵌入している。スライドレール組立体６は、アウターレール６ａに対し多数のボール６ｂを介してインナーレール６ｃを摺動自在に係合させてなり、アウターレール６ａをチャネル材５に固着する一方、インナーレール６ｃを吊り金具２に取り付けている。そして、引戸１を、このスライドレール組立体６を介してスライド自在に吊持し、引戸１のスライドと共に引戸開口部を開閉する構成になっている。なお、図中符号７は、この吊設構造の正面側を覆う開閉可能な幕板である。
【０００５】
【発明が解決しようとする課題】
一般に、引戸、特に木製の引戸については、規定サイズのものだけでなく、様々な引戸開口部の大きさに応じて、幅サイズが大きく異なるものを作製し、これを引戸開口部に組み付けることが求められる場合も比較的多い。ところが、従来の上吊り引戸の吊設構造では、異なる引戸１の幅サイズに合わせて、アウターレール６ａに対し所定のスライド距離が得られる長さ寸法のインナーレール６ｃを個別に作製し、それらインナーレール６ｃを備えた多種類のスライドレール組立体６を、予め用意して対応しなければならないという課題があった。
【０００６】
また、従来の上吊り引戸の吊設構造では、アウターレール６ａとインナーレール６ｃとを引戸１の上框面１ａ上で縦向きに重ねて、スライドレール組立体６を立設する構成であるため、それだけ上下方向に大きな設置スペースが必要になる一方、そこを正面側から幕板７で目隠しする必要があるほど、美観上見栄えが良くない構造であるという課題があった。
【０００７】
さらに、従来の上吊り引戸の吊設構造は、多数の取付部品を備える比較的複雑な取付構成であり、従って、引戸１を持ち上げながら、吊り金具２を介して吊設する作業に手間を要し、極めて面倒であるという課題もあった。
【０００８】
そこで、本発明の目的は、引戸周りの美観性を高めるとともに、引戸吊設作業を容易にし、しかも、異なる幅サイズの引戸ごとにインナーレールを替えることなく、常に同じスライドレール組立体を使用し得るスライドレール式上吊り引戸の吊設構造を提供することにある。
【０００９】
【課題を解決するための手段】
したがって、請求項１に記載の発明は、たとえば以下に示す図示実施の形態のとおり、両側縁に互いに対向する向きに湾曲した係合部１５ａを有するアウターレール１５に対し、両側縁に互いに離れる向きに湾曲した係合部２５ｂを有するインナーレール１７を、互いの係合部間で転動する多数のボール２０を保持したボールリテナー１６を介して摺動自在に係合させて上下に重なる向きに水平に配設したスライドレール組立体Ｃを備え、前記アウターレール１５を天井側に固定する一方、前記インナーレール１７を引戸Ａ側に取り付けて該引戸Ａをスライド自在に吊持した構成のスライドレール式上吊り引戸の吊設構造において、前記引戸Ａには、その上框部の長さ方向両端側に設ける取付溝１１に、溝形に曲げ成形して両側縁に互いに対向する向きに屈曲した係合片１２ａを有する一対のレール受け１２を嵌め入れて固着する一方、前記スライドレール組立体Ｃは、前記ボールリテナー１６を、２本の長手ボール保持部材１８を平行に連結して形成すると共に、前記インナーレール１７を、２本の短手なスライダ２３・２４に分割して形成し、両スライダ２３・２４はそれぞれ、チャネル部２５ａの両側縁に互いに離れる向きに湾曲した前記係合部２５ｂを設けたレール本体２５と、チャネル部２６ａの両側縁に互いに離れる向きに屈曲したガイド部２６ｂを設けたガイドレール２６とを、互いの底面側を重ね合わせて固着してなり、前記レール本体２５の係合部２５ｂを前記ボールリテナー１６のボール保持部材１８に嵌合させる一方、前記ガイドレール２６のガイド部２６ｂを前記レール受け１２の係合片１２ａに係合させて、引戸Ａを前記スライドレール組立体Ｃを介してスライド自在に吊持してなることを特徴とする。
【００１０】
【発明の実施の形態】
以下、図面を参照しつつ、本発明の実施の形態について説明する。
【００１１】
図１は、本発明のスライドレール式上吊り引戸の吊設構造を適用した引戸構造体を示す分解斜視図である。図２は、その引戸構造体の要部を取付状態において示す部分側面図である。引戸構造体１０には、引戸Ａと、レール取付手段Ｂと、スライドレール組立体Ｃを備える。引戸Ａは、例えば木製で、上框面ａの長さ方向両端に取付溝１１を設けてなる。取付溝１１は、スライドレール組立体Ｂの後述するインナーレール１７のスライダ２３・２４長さに合わせて穿設し、それぞれ木口面ｋ側の端部を開放して差込み口１１ａを形成している。図中符号ｔは取っ手である。
【００１２】
レール取付手段Ｂは、それぞれ一対のレール受け１２と抜け止めキャップ１３を備える。レール受け１２は、取付溝１１に合わせて溝形に曲げ成形してなり、両側縁に、互いに対向する向きに断面Ｌ状に屈曲させて係合片１２ａを設け、両端部に直角に曲げ起したねじ止め片１２ｂを設けてなる。抜け止めキャップ１３は、取付溝１１の差込み口１１ａに合わせて矩形の小板片で、片面に、ねじ止め片１２ｂと係合する一対の差込みリブ１３ａを設けてなる。このレール取付手段Ｂにおいて、レール受け１２は、係合片１２ａを上向きに取付溝１１内に嵌め入れてねじ止めし、予め引戸Ａに固着する。
【００１３】
スライドレール組立体Ｃは、アウターレール１５と、ボールリテナー１６と、インナーレール１７を備える。アウターレール１５は、図３に示すように曲げ成形し、両側縁に、互いに対向する向きに湾曲した係合部１５ａを設けてなる。図中符号１４は、それぞれ止めねじ用の貫通穴である。ボールリテナー１６は、図４に示すように、２本の長手ボール保持材１８を備え、これらボール保持材１８の両端をリテナーガイド１９で連結して平行に組み付けてなる。ボール保持材１８は、図４中一部を拡大して示すように、Ｌ板状に曲げた多数の支持片１８ａ…を並設し、各支持片１８ａ…に有する保持穴２１にて、図２中鎖線で示すように小径な金属製ボール…２０を転動可能に保持してなる。このボールリテナー１６は、図３に示すように、アウターレール１５内に摺動可能に嵌入する。
【００１４】
インナーレール１７は、図１に示すように、アウターレール１５に対し所定長さの２つの短手なスライダ２３・２４に分割して構成してなる。スライダ２３・２４は、それぞれ本体レール２５と、ガイドレール２６とからなる。本体レール２５は、断面略コ形状に曲げ成形したチャネル部２５ａの両側縁に、互いに離れる向きに湾曲した係合部２５ｂを設けてなる。ガイドレール２６は、断面略コ形状に曲げ成形したチャネル部２６ａの両側縁に、互いに離れる向きに略直角にＬ板状に屈曲したガイド部２６ｂを設けてなる。スライダ２３・２４は、本体レール２５のチャネル部２５ａと、ガイドレール２６のチャネル部２６ａの底面側を互いに重ね合わせて、ねじ２７で固着して一体化してなる。
【００１５】
そこで、スライドレール組立体Ｃは、分割スライダ２３・２４における本体レール２５の係合部２５ｂを、図４に示すようにボールリテナー１６に嵌合することにより、図２に示すように、本体レール２５の係合部２５ｂを、アウターレール１５の係合部１５ａに、ボール２０…を介してスライド自在に係合させる。そして、図３に示すように、アウターレール１５の両端にストッパ片３０を嵌め込み、それをねじ３１で固着して抜け止めし、スライドレール組立体Ｃとして組み立てられてなる。
【００１６】
さて、上述した構成の引戸構造体１０において、引戸Ａを組み付けるときは、図２に示すように、スライドレール組立体Ｃを横向きに寝かせた状態で、アウターレール１５の背面１５ｂを、支持枠体の上桟３５に当てがい、一方で、分割スライダ２３・２４を適宜摺動させて、ねじ貫通穴１４を塞がないようにしながら、アウターレール１５を上桟３５にねじ止めする。そして、スライドレール組立体Ｃを、予め天井側に水平に固着する。
【００１７】
その後、インナーレール１７の分割スライダ２３・２４を、互いに離れる方向にスライドさせて、それぞれアウターレール１５の両端寄りの退避位置に、いったん逃がしておく。そして、引戸Ａを持ち上げる一方、退避位置のスライダ２３・２４を、引戸Ａの木口面ｋ側から再びスライドさせ、レール受け１２内に差し込んでガイドレール２６のガイド部２６ｂを係合片１２ａに係合し、これによって、引戸Ａを、スライドレール組立体Ｃを介してスライド自在に吊持する。しかる後、差込み口１１ａに抜け止めキャップ１３を被せて、差込みリブ１３ａをレール受け１２のねじ止め片１２ｂに係合し、そのねじ止め片１２ｂにねじ止めする。こうして図５および図６に示すように、引戸Ａを支持枠体の上桟３５に吊設する。
【００１８】
ここで、上述した構成の引戸構造体１０では、前記引戸Ａに代え、それと幅サイズが異なる他の引戸を組み付ける場合でも、同じインナーレール１７のスライダ２３・２４をそのまま使用し、それらスライダ２３・２４を、他の引戸上のレール受け１２に係合させればよく、従って、他の引戸を、その幅サイズに関係なく、共通のスライダ２３・２４を備えたスライドレール組立体Ｃを介して同じように吊設することができる。
【００１９】
なお、以上の図示実施の形態では、上吊り式の中で片引き引戸の例を用いて本発明によるスライドレール式上吊り引戸の吊設構造を説明したが、本発明は、両引き引戸を用いた引戸構造体にも適用し得るのは、勿論である。
【００２０】
【発明の効果】
上述の如く構成した本発明によれば、次のような効果が得られる。
【００２１】
請求項１に記載の発明によれば、幅サイズが異なる引戸を組み付ける場合でも、同じインナーレールの分割スライダをそのまま使用し、それら同じスライダを、各引戸の上框部両端のレール取付手段に係合させればよく、従って、幅サイズに関係なく、共通のスライドレール組立体を介して引戸を同じようにスライド自在に吊設することができる。よって、従来の如く異なる幅サイズの引戸ごとに、わざわざインナーレールを個別に作製し、それらインナーレールを備えた多種類のスライドレール組立体を、予め用意して対応する必要性をなくすことができる。
【００２２】
また、アウターレールとインナーレールとを引戸の上框部上で上下に重ねた横向きにて、スライドレール組立体を水平に配設する構成であるため、それだけ上下方向の設置スペースが極めて小さくて済み、しかも、従来の如く多数の取付部品を介在させない簡略な取付構成にすることができ、その結果、外部から露見する取付部品がほとんどないスッキリした外観構成が得られ、それだけ引戸周りの美観性を著しく向上させることができる。したがって、従来の如く引戸と天井側間の取付部品を、別途に幕板などを使って正面側から目隠しするような余分なカバー構成を、いっさい不要にすることができる。
【００２３】
さらに、引戸を吊設するときは、インナーレールの分割スライダを、互いに離れる方向にスライドさせてアウターレールの両端寄りに、いったん退避させる一方、引戸を持ち上げた状態で、退避位置のスライダを、引戸両側の木口面側からスライドさせてレール取付手段に係合させるだけで、引戸を、スライドレール組立体を介してスライド自在に吊持することができ、これによって、引戸を持ち上げながら吊設する作業を手間なく、極めて簡単に行うことができる。
【図面の簡単な説明】
【図１】本発明のスライドレール式上吊り引戸の吊設構造を適用した引戸構造体を示す分解斜視図である。
【図２】引戸構造体の要部を、取付状態において示す部分側面図である。
【図３】アウターレールにボールリテナーを嵌入する状態を示す斜視図である。
【図４】ボールリテナーの構成と、それにインナーレールのスライダを係合する状態を示す斜視図である。
【図５】上吊り引戸を天井側の引戸開口部に組み付けた状態を示す部分正面図である。
【図６】引戸構造体の外観斜視図である。
【図７】従来のスライドレール式上吊り引戸の吊設構造を示す縦断面図である。
【符号の説明】
１０            引戸構造体
１１            取付溝
１２            レール受け
１５            アウターレール
１５ａ          アウターレールの係合部
１６            ボールリテナー
１７            インナーレール
２０            ボール
２３・２４      インナーレールの分割スライダ
２５            本体レール
２５ｂ          インナーレール（スライダ）の係合部
２６            ガイドレール
２６ｂ          ガイド部
Ａ              引戸
Ｂ              レール取付手段
Ｃ              スライドレール組立体
ｋ              引戸の木口面
ａ              引戸の上框面
【図１】
0003634821.tif 000002
【図２】
0003634821.tif 000003
【図３】
0003634821.tif 000004
【図４】
0003634821.tif 000005
【図５】
0003634821.tif 000006
【図６】
0003634821.tif 000007
【図７】
0003634821.tif 000008